(57)【要約】【課題】携帯性及び経済性を損なうことなく、ライブビュー撮影時における像振れの発生確率の低減を図ることができる撮像装置を提供する。【解決手段】画像表示器にて被写体像を観察することができるライブビュー動作の可能な撮像装置であって、ファインダに物体が接近したかどうかを検知する検知手段と、ライブビュー動作時に、検知手段によって、ファインダに物体が接近したことが検知されたときに、被写体像を記録媒体に記録する記録制御手段（Ｓ３１５〜Ｓ３２０）とを有する。【選択図】図４
2008256982.tif 000002
【特許請求の範囲】
【請求項１】
画像表示器にて被写体像を観察することができるライブビュー動作の可能な撮像装置であって、
ファインダに物体が接近したかどうかを検知する検知手段と、
前記ライブビュー動作時に、前記検知手段によって、前記ファインダに物体が接近したことが検知されたときに、被写体像を記録媒体に記録する記録制御手段とを有することを特徴とする撮像装置。
【請求項２】
前記ライブビュー動作時に、規定の時間、前記検知手段における検知回数を計数する計数手段を有し、
前記記録制御手段は、前記計数手段にて計数された回数だけ、前記取り込まれた画像を前記記録媒体に記録させることを特徴とする撮像装置。
【請求項３】
撮影開始指示部材を有し、
前記ライブビュー動作時には、前記撮影開始指示部材が、前記ライブビュー動作の開始指示と前記ライブビュー動作の終了指示を行う部材として用いられることを特徴とする請求項１または２に記載の撮像装置。
【発明の詳細な説明】
【技術分野】
【０００１】
本発明は、画像表示器にて被写体像を観察することができるライブビュー動作の可能な撮像装置に関する。
【背景技術】
【０００２】
従来、レリーズボタンの押圧操作によりレリーズを行うカメラにおいて、その押圧により像振れが生じる恐れがある。そのため、撮影者の目に向って微弱赤外光を投射し、撮影者のまばたき（ウインク）による反射光を検出することにより、カメラのシーケンス（レリーズ）を進めるカメラが提案されている（特許文献１）。
【０００３】
また、眼球（視線）注視検出装置を備え、ファインダ内における所定の第１位置から第２位置へ眼球注視位置が移動することでレリーズを行うカメラが提案されている（特許文献２）。さらには、合焦ポイントを所定時間注視すると、レリーズを行うカメラも提案されている（特許文献３）。
【０００４】
一眼レフレックスタイプのデジタルカメラの場合、光学ファインダで確認できる像は、ピント板上に結像された像であり、ぼけ具合はピント板の拡散特性に左右され、撮像手段で撮影される画像とは相違が生じる。また、光学ファインダで確認できる被写体像と撮像手段での撮像範囲のずれ、すなわちパララックスのずれが生じる。
【０００５】
コンパクトタイプのデジタルカメラの場合、被写体像を観察する光学ファインダの光学系と撮像手段に光束を導く光学系は別となっている。よって、一眼レフレックスタイプのデジタルカメラよりも大きなパララックスずれが生じる。また、コンパクトタイプのデジタルカメラの光学ファインダの多くは、ピント板上に結像された画像を観察しているのではないため、ぼけ具合を確認する事が出来ない。
【０００６】
上記のように光学ファインダを有するデジタルカメラは、一眼レフレックスタイプ、コンパクトタイプのどちらにおいても、光学ファインダで確認できる画像と撮像手段で取り込まれる画像には、いくらかの相違が生じる。
【０００７】
そこで、光学ファインダで確認できる画像と撮像手段で取り込まれる画像に差が生じる問題を解決するため、ライブビュー撮影機能を有したデジタルカメラが提案されている（特許文献４）。このデジタルカメラは、まず、撮像手段で画像を連続的に取り込む。次に、その画像を画像表示器に連続的に表示して、被写体像の観察に供する。その後、規定の操作部材が操作されると、画像を記録メディア等へ記録する。またこの提案では、ファインダの使用を検知する接眼検知手段を有しており、ライブビュー表示中に接眼検知手段がファインダの使用を検知（撮影者の眼の接近等により）すると、ライブビュー表示を中断して、省エネを達成している。
【特許文献１】特開平５−４０３０３号公報
【特許文献２】特開平４−１５６５２６号公報
【特許文献３】特開平５−１００１４８号公報
【特許文献４】特開２０００−１６５７０５号公報
【発明の開示】
【発明が解決しようとする課題】
【０００８】
しかしながら、ライブビュー撮影機能を有するデジタルカメラにおいても、画像を記録するためには何らかのレリーズボタン等の操作部材を操作することが必要であった。すなわち、従来のライブビュー撮影機能を有するデジタルカメラにおいて、ライブビュー表示中に画像データを記録するためには、カメラ本体に設けられた操作部材を操作する必要がある。そのため、その操作部材を押圧操作する際に発生する操作力により、像振れが発生する虞があった。
【０００９】
さらに、ライブビュー表示中は、撮影者の顔は画像表示器を観るためにファインダから離れている。そのため、通常の撮影モードに比べて、カメラ本体の操作部材を操作する際の像振れの発生確率が高い。
【００１０】
ケーブルレリーズ等を使用可能なカメラにおいては、ケーブルレリーズを用いて、操作部材をカメラ本体から分離する事で、その操作力がカメラ本体に及ばないようにする事も可能である。しかし、カメラ本体とは別にケーブルレリーズを用意する必要があり、携帯性及び経済性に難があった。また、ケーブルレリーズ用のコネクタをカメラ本体に設ける必要があり、カメラ本体の大型化、高コスト化を招き、好ましくない。
【００１１】
なお、リモコンでケーブルレリーズの代わりをさせる事も可能であるが、リモコンを別途用意する必要があり、上記と同様、携帯性及び経済性に難がある。また、カメラ本体にリモコンの受信機能を持たせる必要があり、こちらも高コスト化の要因となってしまう。
【００１２】
（発明の目的）
本発明の目的は、携帯性及び経済性を損なうことなく、ライブビュー撮影時における像振れの発生確率の低減を図ることのできる撮像装置を提供しようとするものである。
【課題を解決するための手段】
【００１３】
上記目的を達成するために、本発明の撮像装置は、画像表示器にて被写体像を観察することができるライブビュー動作の可能な撮像装置であって、ファインダに物体が接近したかどうかを検出する検知手段と、前記ライブビュー動作時に、前記検知手段によって、前記ファインダに物体が接近したことが検知されたときに、被写体像を記録媒体に記録する記録制御手段とを有することを特徴とする。
【発明の効果】
【００１４】
本発明によれば、携帯性及び経済性を損なうことなく、ライブビュー撮影時における像振れの発生確率の低減を図ることができる撮像装置を提供できるものである。
【発明を実施するための最良の形態】
【００１５】
本発明を実施するための最良の形態は、以下の実施例に示す通りである。
【実施例】
【００１６】
図１は本発明の一実施例に係わる一眼レフレックスタイプの撮像装置であるデジタルカメラの電気的構成を示すブロック図である。
【００１７】
デジタルカメラ２００には、撮像レンズユニット１００が不図示のマウント機構を介して着脱可能である。マウント部には、デジタルカメラ２００と撮像レンズユニット１００の間で通信を行ための電気的接点群１０７が具備されており、この電気接点群１０７を介して撮像レンズ１０１及び絞り１０２の駆動等のための信号の授受が行われる。
【００１８】
図示されない被写体からの撮影光束は、撮像レンズ１０１及び光量を調節するための露出手段である絞り１０２を介して、撮影光路に対して進退可能に回動されるクイックリターンミラー２０２に導かれる。クイックリターンミラー２０２の中央部はハーフミラーになっており、該クイックリターンミラー２０２が図１に示すように撮影光路に進入（以下、ダウン）した際に、一部の光束がこのハーフミラーを透過する。透過した光束は、クイックリターンミラー２０２に設置されたサブミラー２０３で図１において下方に反射され、自動焦点調整用のＡＦ（オートフォーカス）センサ２０４に導かれる。ＡＦセンサ２０４は、撮像画面の複数の位置で焦点検出できるようになっている。
【００１９】
一方、クイックリターンミラー２０２で図１において上方に反射された撮影光束は、ペンタプリズム２０１、接眼レンズ２０６を介して撮影者の目に導かれる。
【００２０】
また、クイックリターンミラー２０２が撮影光路から退避（以下、アップ）した際には、撮像レンズ１０１からの光束は、フォーカルプレーンシャッタ２０８、フィルタ２０９を介してＣＭＯＳ等に代表される撮像素子であるイメージセンサ２１０に導かれる。上記フィルタ２０９は２つの機能を有しており、１つは、赤外線をカットして可視光線のみをイメージセンサ２１０へ導く機能であり、もう１つは、光学ローパスフィルタとしての機能である。上記フォーカルプレーンシャッタ２０８は、先幕及び後幕から成り、撮像レンズ１０１からの光束を透過、遮断してイメージセンサ２１０への光量を調節するものである。
【００２１】
なお、クイックリターンミラー２０２のアップ時には、サブミラー２０３は折り畳まれ、クイックリターンミラー２０２と同様に撮影光路から退避するようになっている。
【００２２】
本実施例におけるデジタルカメラ２００には、当該デジタルカメラ全体の制御を司るＣＰＵにより構成されるシステムコントローラ２２３が具備されており、該システムコントローラ２２３に各部が接続されている。そして、これら各部は該システムコントローラ２２３により適宜制御される。
【００２３】
上記システムコントローラ２２３には、撮像レンズ１０１を光軸方向に移動してピント合わせを行うためのレンズ駆動機構１０３を制御するレンズ制御回路１０４、絞り１０２を駆動するための絞り駆動機構１０５を制御する絞り制御回路１０６が接続される。さらには、クイックリターンミラー２０２のアップ、ダウン及びフォーカルプレーンシャッタ２０８のシャッタチャージを制御するシャッタチャージ・ミラー駆動機構２１１が接続される。さらには、フォーカルプレーンシャッタ２０８の先幕、後幕の走行を制御するためのシャッタ制御回路２１２、接眼レンズ２０６の近傍に配設された測光センサに接続された自動露出用の分割測光手段である測光回路２０７が接続される。さらには、当該デジタルカメラ２００を制御する上で調整が必要なパラメータやデジタルカメラの個体識別が可能なカメラＩＤ情報や、基準レンズで調整されたＡＦ補正データや、自動露出補正値が記憶されている記憶部であるＥＥＰＲＯＭ２２２が接続される。
【００２４】
レンズ制御回路１０４は、レンズ固有の情報、例えば焦点距離、開放絞り、レンズ個々に割り振られるレンズＩＤという情報と、シーケンスコントローラ２２３から受け取った情報を記憶するレンズ記憶部を有している。
【００２５】
デジタルカメラ２００には、パーソナルコンピュータ（ＰＣ）に代表される外部制御装置３００が接続可能になっており、通信インター接眼回路２２４を介して該パーソナルコンピュータ３００とシステムコントローラ２２３とが通信可能になっている。
【００２６】
自動露出調整用の測光回路２０７に接続される測光センサは、被写体の輝度を測定するためのセンサであり、その出力は測光回路２０７を経てシステムコントローラ２２３へ供給される。システムコントローラ２２３は、レンズ駆動機構１０３を制御することにより、被写体像をイメージセンサ２１０上に結像させる。また、システムコントローラ２２３は、設定されたＡｖ値（絞り値情報）に基づいて絞り１０２を駆動する絞り駆動機構１０５を制御し、更に、設定されたＴｖ値（シャッタ速度情報）に基づいた制御信号をシャッタ制御回路２１２へ出力する。
【００２７】
フォーカルプレーンシャッタ２０８の先幕及び後幕は、駆動源がバネにより構成されており、シャッタ走行後、次の動作のためにバネチャージを要する。シャッタチャージ・ミラー駆動機構２１１は、このバネチャージを制御するようになっている。また、シャッタチャージ・ミラー駆動機構２１１によりクリックリターンミラー２０２のアップ、ダウンが行われる。
【００２８】
また、システムコントローラ２２３には、画像データコントローラ２２０が接続される。画像データコントローラ２２０は、ＤＳＰ（デジタル信号プロセッサ）により構成される補正データサンプル部及び補正部である。この画像データコントローラ２２０は、イメージセンサ２１０の制御、該イメージセンサ２１０から入力された画像データの補正や加工などをシステムコントローラ２２３の指令に基づいて実行する。画像データの補正、加工の項目の中にはオートホワイトバランスも含まれる。オートホワイトバランスとは、撮像画像の中の最大輝度の部分を所定の色（白色）に補正する機能である。オートホワイトバランスは、シーケンスコントローラ２２３からの命令により補正量を変更する事が可能である。
【００２９】
画像データコントローラ２２０には、イメージセンサ２１０を駆動する際に必要なパルス信号を出力するタイミングパルス発生回路２１７が接続される。さらには、イメージセンサ２１０と共にタイミングパルス発生回路２１７で発生されたタイミングパルスを受けて、イメージセンサ２１０から出力される被写体像に対応したアナログ信号をデジタル信号に変換するためのＡ／Ｄコンバータ２１６が接続される。さらには、得られた画像データ（デジタルデータ）を一時的に記憶しておくＤＲＡＭ２２１、Ｄ／Ａコンバータ２１５及び画像圧縮回路２１９が接続される。
【００３０】
ＤＲＡＭ２２１は、加工や所定のフォーマットへのデータ変換が行われる前の画像データを一時的に記憶するための記憶手段として使用される。Ｄ／Ａコンバータ２１５には、エンコーダ回路２１４を介して画像表示回路２１３が接続される。画像圧縮回路２１９には、記録媒体である画像データ記録メディア２１８が接続される。
【００３１】
画像表示回路２１３は、イメージセンサ２１０で撮影された画像データを画像表示器２３６に表示させるためのものである。画像表示器２３６は、ライブビュー表示、再生画像及び撮影結果確認画像を外部表示する画像表示手段であり、一般にはカラーの液晶表示素子により構成される。そして、ライブビュー撮影時には、該画像表示器２３６にはライブビュー表示（撮像素子で撮像された画像を連続的に取り込み、取り込んだ画像を連続的に表示させることを意味する）が行われる。撮影後には、撮影時のプレビュー画像が表示される。
【００３２】
画像データコントローラ２２０は、ＤＲＡＭ２２１上の画像データを、Ｄ／Ａコンバータ２１５によりアナログ信号に変換してエンコーダ回路２１４へ出力する。エンコーダ回路２１４はこのＤ／Ａコンバータ２１５の出力を、画像表示回路２１３を駆動する際に必要な映像信号（例えばＮＴＳＣ信号）に変換する。
【００３３】
画像圧縮回路２１９は、ＤＲＡＭ２２１に記憶された画像データの圧縮や変換（例えばＪＰＥＧ）を行うためのものである。変換された画像データは、画像データ記録メディア２１８に格納される。記録メディアとしては、ハードディスク、フラッシュメモリ等が使用される。
【００３４】
システムコントローラ２２３には、さらに、当該デジタルカメラ２００の動作モードの情報や露出情報（シャッタ秒時、絞り値等）の表示を行うための動作表示回路２２５が接続される。さらには、測光・焦点検出（測距）などの撮影準備動作を開始させるための第１ストロークスイッチ２３０（以下、スイッチＳＷ１）が接続される。さらには、通常撮影モード時の撮影動作の開始を指示するための第２ストロークスイッチ２３１（以下、スイッチＳＷ２）が接続される。さらには、撮影者が所望の動作を当該デジタルカメラ２００に実行させるべくモードを設定するモード設定スイッチ２２９が接続される。さらには、ＡＦセンサ２０４が持つ複数のＡＦエリアから使用するＡＦエリアを選択するためのＡＦエリア選択スイッチ２２８が接続される。さらには、使用する測光エリアを選択する測光エリア選択スイッチ２３５、回転動作によりパラメータをアップ、ダウンさせて表示する電子ダイヤルスイッチ２２６が接続される。上記のスイッチＳＷ２は、ライブビュー撮影モード時には、ライブビュー撮影開始及びライブビュー撮影終了のためのスイッチとしての機能も有する。
【００３５】
２３３は接眼検知部の投光部、２２７は接眼検知部の受光部である。投光部２３３からは赤外光が発せられる。ファインダに撮影者の顔や手等の物体が接近した場合、投光部２３３が発した近赤外光は顔や手等の物体で反射し、反射した赤外光が受光部２２７に到達する。この事により、ファインダに撮影者の顔や手等の物体が接近したかどうかを検知できる。通常撮影モード時には、接眼検知部で撮影者の接眼状態または物体を検知すると、カメラ本体背面に設けられている画像表示器２３６の表示機能をオフにする。この事により、撮影者がファインダを覗いた場合等の、背面の画像表示器２３６が不要とされる状態の時は、画像表示回路２１３及び画像表示器２３６の動作を停止する事で、省エネを実現することができる。一方、後述するように、ライブビュー撮影モード時におけるライブビュー表示中に、接眼検知部がファインダに物体が接近したことを検知すると、画像データ記録メディア２１８への画像データの記録が実行される。
【００３６】
次に、図２を用いて、撮影モードの選択シーケンスについて説明する。
【００３７】
ステップＳ１０１では、撮影モード選択操作が行われたか否かを判定する。撮影モード選択操作は、モード設定スイッチ２２９と電子ダイヤルスイッチ２２６により行われる。モード設定スイッチ２２９がオンの状態で電子ダイヤルスイッチ２２６が操作されると、撮影モードが順次切り換わる。
【００３８】
上記ステップＳ１０１にて撮影モード選択操作が行われ、ライブビュー撮影モードが選択された場合はステップＳ１０２へ進み、ライブビュー撮影シーケンスへ移行する。一方、ステップＳ１０１にてライブビュー撮影モード以外が選択されていた場合はステップＳ１０３へ進み、通常撮影シーケンスへ移行する。
【００３９】
次に、図３を用いて、図２のステップＳ１０３にて行われる通常撮影シーケンスについて説明する。
【００４０】
ステップＳ２０１では、スイッチＳＷ１がオンされたか否か判定する。オンされていなければオンされるまでこのステップで待機する。その後、スイッチＳＷ１がオンされると、撮影時の露出量を決定するステップＳ２０２〜Ｓ２０３及びピントを合わせるステップＳ２０４〜Ｓ２０６へそれぞれ分岐し、これらの並行処理を行う。
【００４１】
ステップＳ２０２へ進むと、撮像レンズ１０１を通り、主ミラー２０２で反射され、ペンタプリズム２０１を通過した光束を、測光回路２０７により測光する。次のステップＳ２０３では、シーケンスコントローラ２２３が測光回路２０７の出力に応じて撮影時の露出量（絞り値、シャッタ速度の各情報）を決定する。そして、ステップＳ２０８へ進む。
【００４２】
一方、ステップＳ２０４へ進むと、シーケンスコントローラ２２３がＡＦセンサ２０４、焦点検出回路２０５を用いて焦点検出を行う。次のステップＳ２０５では、焦点検出が出来たか否かを判定する。被写体が低コントラストの場合や暗い場合は、焦点検出が出来ない事がある。焦点検出が出来なかった場合にはステップＳ２０７へ進み、警告を行う。焦点検出が出来た場合はステップＳ２０６へ進み、焦点検出結果に基づいてシステムコントローラ２２３がレンズ制御回路１０４にレンズ駆動量を送信する。これにより、レンズ制御回路１０４がレンズ駆動量に基づいてレンズ駆動機構１０３を制御し、撮像レンズ１０１が合焦位置へと移動する。その後はステップＳ２０８へ進む。
【００４３】
次のステップＳ２０８では、スイッチＳＷ２がオンされたか否かを判定し、オンされていなければオンされるまで待機する。その後、スイッチＳＷ２がオンされるとステップＳ２０９へ進み、システムコントローラ２２３がシャッタチャージ・ミラー駆動機構２１１を制御してクイックリターンミラー２０２をアップさせる。
【００４４】
次のステップＳ２１０では、ステップＳ２０３で設定された絞り値情報をシステムコントローラ２２３が絞り制御回路１０６へ送信し、絞り駆動機構１０５を駆動して、設定された絞り値まで絞り１０２を絞り込ませる。次のステップＳ２１１では、システムコントローラ２２３がフォーカルプレーンシャッタ２０８を開くよう、各部を制御する。続くステップＳ２１２では、シーケンスコントローラ２２３が画像データコントローラ（ＤＳＰ）２２０に対して撮像素子であるイメージセンサ２１０の積分動作を指示する。そして、ステップＳ２１３にて、所定時間、待機する。
【００４５】
上記の積分時間が終わるとステップＳ２１４へ進み、フォーカルプレーンシャッタ２０８を閉じる。次のステップＳ２１５では、システムコントローラ２２３が次回の動作に備えてフォーカルプレーンシャッタ２０８のチャージ動作及びミラーダウン駆動を行う。次のステップＳ２１６では、絞り１０２を開放へと駆動し、続くステップＳ２１７にて、シーケンスコントローラ２２３が画像データコントローラ２２０に対してイメージセンサ２１０から画像データを取り込むように指示する。そして、次のステップＳ２１８にて、読み出した画像データを画像圧縮回路２１９を通して画像データ記録メディア２１８へ記録させる。
【００４６】
次に、図４を用いて、図２のステップＳ１０２にて行われるライブビュー撮影シーケンスについて説明する。
【００４７】
ステップＳ３０１では、スイッチＳＷ１がオンされたか否か判定する。オンされていなければオンされるまでこのステップで待機する。その後、スイッチＳＷ１がオンされると、ライブビュー開始直後の露出量を決定するステップＳ３０２〜Ｓ３０３及びピントを合わせるステップＳ３０４〜Ｓ３０６にそれぞれ分岐し、並行処理を行う。
【００４８】
ステップＳ３０２へ進むと、撮像レンズ１０１を通り、主ミラー２０２で反射され、ペンタプリズム２０１を通過した光束を、測光回路２０７で測光する。そして、次のステップＳ３０３にて、シーケンスコントローラ２２３が測光回路２０７の出力に応じてライブビュー開始直後の露出量（絞り値、シャッタ速度の各情報）を決定する。そして、ステップＳ３０８へ進む。
【００４９】
一方、ステップＳ３０４へ進むと、シーケンスコントローラ２２３がＡＦセンサ２０４、焦点検出回路２０５を用いて焦点検出を行う。そして、次のステップＳ３０５にて、焦点検出が出来たか否かを判定する。被写体が低コントラストの場合や暗い場合には、焦点検出が出来ない事がある。焦点検出が出来なかった場合にはステップＳ３０７へ進み、警告を行う。焦点検出が出来た場合はステップＳ３０６へ進み、焦点検出結果に基づいてシステムコントローラ２２３がレンズ制御回路１０４にレンズ駆動量を送信する。これにより、レンズ制御回路１０４がレンズ駆動量に基づいてレンズ駆動機構１０３を制御し、撮像レンズ１０１が合焦位置へと移動する。その後はステップＳ３０８へ進む。
【００５０】
ステップＳ３０８では、スイッチＳＷ２がオンされたか否かを判定し、オンされていなければオンされるまで待機する。その後、スイッチＳＷ２がオンされるとステップＳ３０９へ進む。なお、ステップＳ３０８でスイッチＳＷ２のオンが検出された以降は、該スイッチＳＷ２はライブビュー撮影完了を指示するスイッチとなる。ステップＳ３０９へ進むと、システムコントローラ２２３がシャッタチャージ・ミラー駆動機構２１１を制御してクイックリターンミラー２０２をアップさせる。
【００５１】
次のステップＳ３１０では、ステップＳ３０３で設定された絞り値情報をシステムコントローラ２２３が絞り制御回路１０６へ送信し、絞り駆動機構１０５を駆動して、設定された絞り値まで絞り１０２を絞り込ませる。次いでステップＳ３１１にて、システムコントローラ２２３がフォーカルプレーンシャッタ２０８を開くよう、各部を制御する。続くステップＳ３１２では、シーケンスコントローラ２２３が画像データコントローラ２２０に対してイメージセンサ２１０から画像データを取り込むように指示する。
【００５２】
次のステップＳ３１３では、取り込んだ画像データを基に合焦動作を行い、かつ露出（ＡＥ）を決定する。続くステップＳ３１４では、シーケンスコントローラ２２３が画像データコントローラ２２０に対してイメージセンサ２１０から画像データを取り込むように指示する。これにより、画像表示回路２１３等を介して画像表示器２３６にフレーミングを助けるためのライブビュー表示が行われる。
【００５３】
次のステップＳ３１５では、投光部２３３及び受光部２２７より構成される接眼検知部により接眼検知、すなわち顔や手等の物体検知を行う。その結果、撮影者の顔や手等の物体を検知できなかった場合はステップＳ３１２に戻り、以下同様の動作を繰り返す。
【００５４】
上記ステップＳ３１５にて撮影者の顔や手等の物体を検知できた場合はステップＳ３１６へ進み、接眼検知部での接眼検知時間（規定の時間に設定されている）を計時するタイマをスタートさせる。タイマの管理は、システムコントローラ２２３が行う。次のステップＳ３１７では、上記ステップＳ３１５にて撮影者の顔や手等の物体を検知した回数を計数する。検知回路の計数はシステムコントローラ２２３が行う。
【００５５】
次のステップＳ３１８では、上記ステップＳ３１６でスタートさせたタイマが規定の時間までの計時を完了したかどうかの判定を行う。完了していない場合はステップＳ３１２に戻り、以下同様の動作を繰り返す。一方、タイマが規定の時間までの計時を完了していたならば、ステップＳ３１９へ進む。
【００５６】
ステップＳ３１９へ進むと、シーケンスコントローラ２２３が画像データコントローラ２２０に対してイメージセンサ２１０から、接眼検知部がファインダに物体が接近した事を検知したタイミングにおける画像を記録用画像として画像取り込みを行わせる。なお、画像取り込みは、上記ステップＳ３１７にて計数された回数と同じだけ行われる。そして、次のステップＳ３２０にて、読み取った画像データを画像圧縮回路２１９を通して画像データ記録メディア２１８へ記録する。画像の記録回数も、上記ステップＳ３１７で計数された回数と同じだけ行われる。
【００５７】
ここで、上記複数回の接眼検知と画像データの画像取り込み及び画像の記録について詳述する。
【００５８】
ライブビュー撮影モード時のライブビュー表示中に、例えば、接眼検知部がファインダに接近した物体を検知し、この物体検知から規定の時間以内に物体非検知状態となり、さらに規定の時間以内に物体検知状態に再びなったとする。この場合は、連続して記録媒体である画像データ記録メディア２１８へ画像記録が２回行われる。さらに詳しくは、例えば指一本を接眼検知部の前を規定時間内で２度往復させると、２回、画像の記録が行われる。また、指二本を、一度接眼検知部の前を動かすと、先ほどの例と同じように、２回、画像が記録されることになる。
【００５９】
次のステップＳ３２１では、スイッチＳＷ２がオンされているか否かを判定し、オフされていればライブビュー撮影続行と判定して、ステップＳ３１２へ戻る。一方、スイッチＳＷ２がオンしていた場合は、ライブビュー撮影終了と判定してステップＳ３２２へ進む。
【００６０】
ステップＳ３２２へ進むと、フォーカルプレーンシャッタ２０８を閉じる。そして、次のステップＳ３２３にて、システムコントローラ２２３がシャッタチャージ・ミラー駆動機構２２１を介して次回の動作に備えてフォーカルプレーンシャッタ２０８のチャージ動作及びミラーダウン駆動を行わせる。最後に、ステップＳ３２４にて、絞り１０２を開放へと駆動する。
【００６１】
上記の実施例によれば、以下のような効果を得ることができる。
【００６２】
ライブビュー撮影機能を有するデジタルカメラにおいて、ライブビュー動作時に、接眼検知部によって、ファインダに物体が接近したことが検知されたときに、被写体像を記録媒体に記録するようにしている。よって、画像を記録するためスイッチＳＷ２等の操作部材（撮影開始指示部材）を操作する事が必要ない。すなわち、ライブビュー表示中に画像データを記録するのに、カメラ本体に設けられた操作部材を操作する必要がなく、その操作部材を押圧等の操作をする際に発生する操作力により像振れの発生確率を軽減することができる。
【００６３】
また、ライブビュー表示中に、ケーブルレリーズやリモコンを用いて、操作部材をカメラ本体から分離する事で操作力がカメラ本体に及ばないようにした従来例がある。この種のカメラに比べ、カメラ本体とは別にケーブルレリーズやリモコンを用意する必要がなく携帯性を損なわない。さらには、接眼検知部そのものは元々別の機能を成立させるために設けられたものであり、新たに電気回路や部品を追加する事なく、コストアップへの影響も少ない（経済性を損なわない）。
【００６４】
また、規定の時間の間に、接眼検知された回数を計数し、その回数だけ画像記録を行うようにしているので、操作性が向上する。
【００６５】
（本発明と実施例の対応）
接眼検知部用の受光部２２７と投光部２３３が本発明の検知手段に、画像表示器２３６が表示器に、それぞれ相当する。また、画像データ記録メディア２１８が本発明の記録媒体に、システムコントローラ２２３の図４におけるステップＳ３１５〜Ｓ３２０の動作を行う部分が、本発明の記録制御手段に相当する。また、システムコントローラ２２３の図４におけるステップＳ３１７の動作を行う部分が本発明の、ライブビュー動作時に、規定の時間、検知手段における検知回数を計数する計数手段に相当する。また、スイッチＳＷ２が、ライブビュー動作時には、ライブビュー動作の開始指示とライブビュー動作の終了指示を行う撮影開始指示部材に相当する。
【００６６】
本発明は、一眼レフレックスタイプのデジタルカメラのみならず、光学ファインダを有するコンパクトタイプのデジタルカメラ（撮像装置）にも適用することができる。
【図面の簡単な説明】
【００６７】
【図１】本発明の一実施例に係る一眼レフレックスデジタルカメラの回路構成を示すブロック図である。
【図２】本発明の一実施例に係る一眼レフレックスデジタルカメラにおける撮影モード選択シーケンスを示すフローチャートである。
【図３】本発明の一実施例に係る一眼レフレックスデジタルカメラにおける通常撮影シーケンスを示すフローチャートである。
【図４】本発明の一実施例に係る一眼レフレックスデジタルカメラにおけるライブビュー撮影シーケンスを示すフローチャートである。
【符号の説明】
【００６８】
１００      撮像レンズユニット
１０１      撮像レンズ
１０２      絞り
１０３      レンズ駆動機構
１０４      レンズ制御回路
１０５      絞り駆動機構
１０６      絞り制御回路
２００      デジタルカメラ
２０２      クイックリターンミラー
２０４      ＡＦセンサ
２０６      接眼レンズ
２０７      測光回路
２０８      フォーカルプレーンシャッタ
２１０      イメージセンサ
２１１      シャッタチャージ・ミラー駆動機構
２１２      シャッタ制御回路
２１３      画像表示回路
２１８      画像データ記録メディア
２２０      画像データコントローラ
２２３      システムコントローラ
２２７      接眼検知部用の受光部
２３０      スイッチ（ＳＷ２）
２３１      スイッチ（ＳＷ１）
２３３      接眼検知部用の投光部
２３６      画像表示器
【図１】
2008256982.tif 000003
【図２】
2008256982.tif 000004
【図３】
2008256982.tif 000005
【図４】
2008256982.tif 000006